(57)【要約】      （修正有）【課題】給水栓ボックスの蓋部材において、給水活動が行われる場合に給水活動の作業性を向上させることができる蓋部材を提供する。【解決手段】蓋部材１は、上側を開口する箱状に設けられるとともに、上側が地盤面Ｓに開口するよう埋設され、給水活動が行われる場合に手動式ポンプ３が接続される地下式給水栓４が収納された給水栓ボックス２に適用され、給水活動が行われる場合に給水栓ボックス２の上側を覆う蓋部材１である。蓋部材１は、給水栓ボックス２の上側を覆う場合に手動式ポンプ３を内側に配置可能に開口する蓋開口部を備えている。【選択図】図２
0003220004.tif 000002
【実用新案登録請求の範囲】
【請求項１】
上側を開口する箱状に設けられるとともに、上側が地盤面に開口するよう埋設され、給水活動が行われる場合に手動式ポンプが接続される地下式給水栓が収納された給水栓ボックスに適用され、前記給水活動が行われる場合に前記給水栓ボックスの上側を覆う蓋部材であって、
前記給水栓ボックスの上側を覆う場合に前記手動式ポンプを内側に配置可能に開口する開口部を備えている蓋部材。
【請求項２】
板状にそれぞれ形成された第一部材および第二部材と、
前記第一部材と前記第二部材とを折りたたみ可能に接続する接続部材と、を備えている請求項１に記載の蓋部材。
【請求項３】
棒状に形成された棒部材が周縁に配置されている請求項１または請求項２に記載の蓋部材。
【請求項４】
アルミニウムを用いて設けられている請求項１乃至請求項３の何れか一項に記載の蓋部材。
【考案の詳細な説明】
【技術分野】
【０００１】
本考案は、蓋部材に関する。
【背景技術】
【０００２】
特許文献１には、地下式消火栓が収納された消火栓ボックス（消火栓用桝）の蓋部材（蓋体）が開示されている。特許文献１の図８に示すように、給水活動が行われていない場合、消火栓ボックスの上側には、蓋部材が着脱可能に配置されている。
【０００３】
給水活動が行われる場合、消火栓ボックスから蓋部材が取り外され、地下式消火栓にホース等が取り付けられる。さらに、地下式消火栓に設けられた止水弁が開状態となった場合に、ホースから放水される。
【先行技術文献】
【特許文献】
【０００４】
【特許文献１】特開２０００−３１９９４９号公報
【考案の概要】
【考案が解決しようとする課題】
【０００５】
上述したように、給水活動が行われる場合においては、消火栓ボックスから蓋部材が取り外されているため、給水活動を行っている者が消火栓ボックスの内側に物を落とすことが考えられる。
【０００６】
また、ホース等から放水するために、地下式消火栓に手動式ポンプを取り付ける場合においては、消火栓ボックスの上側が開口していることにより、手動式ポンプから比較的近い場所に足場が確保できないことが考えられる。この場合、給水活動を行う者が手動式ポンプを作動させにくい。
【０００７】
このことは、貯水槽に貯められた飲料水を供給する地下式給水栓が上側を開口されて埋設された給水栓ボックスに収納されている場合において、災害時に、地下式給水栓に手動式ポンプが接続されて飲料水が供給される給水活動が行われるときにおいても同様である。
【０００８】
本考案は、上述した問題を解消するためになされたもので、給水栓ボックスの蓋部材において、給水活動が行われる場合に給水活動の作業性を向上させることを目的とする。
【課題を解決するための手段】
【０００９】
上記の課題を解決するため、請求項１に係る蓋部材は、上側を開口する箱状に設けられるとともに、上側が地盤面に開口するよう埋設され、給水活動が行われる場合に手動式ポンプが接続される地下式給水栓が収納された給水栓ボックスに適用され、給水活動が行われる場合に給水栓ボックスの上側を覆う蓋部材であって、給水栓ボックスの上側を覆う場合に手動式ポンプを内側に配置可能に開口する開口部を備えている。
【考案の効果】
【００１０】
これによれば、蓋部材は、給水活動が行われる場合に給水栓ボックスの開口を覆うため、給水栓ボックスの内側に物が落ちることを抑制することができる。また、蓋部材は、給水活動が行われる場合において、手動式ポンプを内側に配置可能とする開口部が設けられている。このため、給水栓ボックスの開口における手動式ポンプの周囲を覆うことができる。よって、手動式ポンプを作動する作業者の足場を手動式ポンプから比較的近い場所にて確保することができる。したがって、給水活動が行われる場合に給水活動の作業性を向上させることができる。
【図面の簡単な説明】
【００１１】
【図１】本考案の蓋部材が給水栓ボックスに配置されている状態を示す図である。
【図２】図１に示す蓋部材および給水栓ボックスの拡大図である。
【図３】図２に示す蓋部材の上面図である。
【図４】図２に示す蓋部材の側面図である。
【図５】図２に示す蓋部材の下面図である。
【図６】図２に示す蓋部材が折りたたまれた状態を示す図である。
【図７】本考案に係る蓋部材の変形例を示す図である。
【図８】従来技術において、給水活動が行われる場合の給水栓ボックスの状態を示す図ある。
【考案を実施するための形態】
【００１２】
以下、本考案に係る蓋部材について図面を参照しながら説明する。蓋部材１は、給水栓ボックス２に適用されるものである。
【００１３】
給水栓ボックス２は、図１および図２に示すように、上側を開口する箱状に設けられるとともに、上側が地盤面Ｓに開口するよう埋設され、給水活動が行われる場合に手動式ポンプ３が接続される地下式給水栓４が収納されたものである。給水活動は、火災が発生した場合に消火のための水の供給や、災害が発生した場合に飲料水の供給が行われる活動である。
【００１４】
地下式給水栓４は、貯水槽５に貯められた水を供給するために外部に向けて導出するものである。地下式給水栓４は、例えば地下式消火栓である。地下式給水栓４が地下式消火栓である場合、給水栓ボックス２は、消火栓ボックスに相当する。貯水槽５は、地中に埋設されている（図１参照）。貯水槽５に貯められた水は、上述した消火のために供給される水や、飲料水である。地下式給水栓４は、導入部４ａ、導出部４ｂおよび止水部４ｃを備えている。
【００１５】
導入部４ａは、水道配管６を介して貯水槽５に接続され、貯水槽５に貯められた水を地下式給水栓４に導入するものである。導出部４ｂは、導入部４ａから導入された水を外部に向けて導出するものである。導出部４ｂには、給水活動が行われる場合に、手動式ポンプ３が接続される。さらに、手動式ポンプ３には、ホース（図示なし）が接続される。
【００１６】
手動式ポンプ３は、手動によって操作されることにより、導出部４ｂから外部に向けて水を送出するポンプである。手動式ポンプ３が導出部４ｂに接続された場合、図２および図８に示すように、手動式ポンプ３における給水活動を行う者によって操作される部位である操作部３ａが地盤面Ｓより上方に位置する。
【００１７】
止水部４ｃは、開状態である場合に導入部４ａから導出部４ｂへの水の流れを許容し、かつ、閉状態である場合に導入部４ａから導出部４ｂへの水の流れを規制する止水弁である。止水部４ｃの開状態と閉状態との切り替えは、手動にて行われる。止水部４ｃは、給水活動が行われていない場合、閉状態に切り替えられている。
【００１８】
給水活動が行われていない場合、給水栓ボックス２における地盤面Ｓに開口する部位であるボックス開口部２ａには、金属製の板部材（図示なし）がボックス開口部２ａの全部を覆うように配置されている。従来技術においては、給水活動が行われる場合、図８に示すように、給水栓ボックス２は、板部材が取り外されたままの状態である。
【００１９】
一方、本実施形態において給水活動が行われる場合、板部材が取り外され、図２に示すように、蓋部材１が板部材の代わりに配置される。続けて、手動式ポンプ３が地下式給水栓４に接続され、ホースが手動式ポンプ３に接続される。さらに、止水部４ｃが開状態に切り替えられ、手動式ポンプ３が手動によって操作される。これにより、貯水槽５に貯められた水が、水道配管６、地下式給水栓４、手動式ポンプ３およびホースを介して外部に放出される。なお、給水活動が行われていない場合、蓋部材１は、後述するように折りたためられて、所定の場所に保管される。
【００２０】
蓋部材１は、給水活動が行われる場合に給水栓ボックス２の上側を覆うものである。蓋部材１は、図２に示すように、給水栓ボックス２のボックス開口部２ａに配置される。蓋部材１は、具体的には、ボックス開口部２ａの周縁に全周に亘って設けられた段部２ｂに配置される。
【００２１】
蓋部材１は、図３乃至図５に示すように、第一部材１０、第二部材２０、接続部材３０、蓋開口部４０（実用新案登録請求の範囲の開口部に相当）および棒部材５０を備えている。なお、本明細書においては説明の便宜上、図３における紙面手前側および紙面奥側をそれぞれ蓋部材１の上方および下方として説明する。
【００２２】
第一部材１０および第二部材２０は、板状にそれぞれ形成されている。第一部材１０および第二部材２０は、金属製である。第一部材１０および第二部材２０は、具体的には、アルミニウムを用いて設けられている。
【００２３】
第一部材１０および第二部材２０は、上面視矩形状に形成されている。第一部材１０および第二部材２０の一辺には湾状に凹む凹部１１，２１がそれぞれ形成されている。第一部材１０の凹部１１は、図３の下側の一辺に設けられている。第二部材２０の凹部２１は、図３の上側の一辺に設けられている。凹部１１，２１は、蓋部材１がボックス開口部２ａに配置される場合に、蓋開口部４０を構成する。第一部材１０および第二部材２０は、上面視において互いに対象形状となるように形成されている。
【００２４】
接続部材３０は、第一部材１０と第二部材２０とを折りたたみ可能に接続するものである。接続部材３０は、二つ用いられている。接続部材３０は、金属製（例えばステンレス鋼材）の蝶番である。接続部材３０は、蓋部材１がボックス開口部２ａに配置される場合に、図３乃至図５に示すように、第一部材１０の上面に相当する第一面１２と第二部材２０の上面に相当する第二面２２とが同一平面上に位置し、かつ、第一部材１０の凹部１１と第二部材２０の凹部２１とが互いに対向するよう、第一部材１０と第二部材２０とを接続する。
【００２５】
また、接続部材３０は、図６に示すように、第一部材１０の第一面１２と第二部材２０の第二面２２とが互いに対向するように折りたたみ可能に、第一部材１０と第二部材２０とを接続する。接続部材３０は、第一部材１０および第二部材２０に、例えばネジ（図示なし）を用いて固定されている。
【００２６】
棒部材５０は、図４乃至図６に示すように、棒状に形成され、蓋部材１の周縁に配置されたものである。棒部材５０は、断面矩形状の筒状に形成されている。棒部材５０は、金属製である。棒部材５０は、具体的には、アルミニウムを用いて設けられている。
【００２７】
棒部材５０は、複数（本実施形態においては６本）設けられ、第一部材１０および第二部材２０それぞれの下面に蓋部材１の周縁に全周に亘るようにそれぞれ配置されている（図５参照）。棒部材５０は、例えば溶接によって、第一部材１０および第二部材２０に固定されている。蓋部材１がボックス開口部２ａに配置された場合、棒部材５０の下面が段部２ｂに接触する（図２参照）。
【００２８】
蓋開口部４０は、蓋部材１が給水栓ボックス２の上側を覆う場合に手動式ポンプ３を内側に配置可能に開口するものである。蓋開口部４０は、図３乃至図５に示すように、蓋部材１が折りたためられていない開かれた状態となった場合に、第一部材１０の凹部１１と第二部材２０の凹部２１によって形成される。
【００２９】
蓋開口部４０は、蓋部材１が開かれた状態にてボックス開口部２ａに配置された場合、手動式ポンプ３が地下式給水栓４の導出部４ｂに接続可能な位置および大きさに設けられている。手動式ポンプ３が地下式給水栓４の導出部４ｂに接続された場合、手動式ポンプ３が蓋開口部４０の内側に位置する。
【００３０】
本実施形態によれば、蓋部材１は、上側を開口する箱状に設けられるとともに、上側が地盤面Ｓに開口するよう埋設され、給水活動が行われる場合に手動式ポンプ３が接続される地下式給水栓４が収納された給水栓ボックス２に適用され、給水活動が行われる場合に給水栓ボックス２の上側を覆う蓋部材１である。蓋部材１は、給水栓ボックス２の上側を覆う場合に手動式ポンプ３を内側に配置可能に開口する蓋開口部４０を備えている。
【００３１】
これによれば、蓋部材１は、給水活動が行われる場合に給水栓ボックス２の開口を覆うため、給水栓ボックス２の内側に物が落ちることを抑制することができる。また、蓋部材１は、給水活動が行われる場合において、手動式ポンプ３を内側に配置可能とする蓋開口部４０が設けられている。このため、給水栓ボックス２の開口における手動式ポンプ３の周囲を覆うことができる。よって、手動式ポンプ３を作動する作業者の足場を手動式ポンプ３から比較的近い場所にて確保することができる。したがって、給水活動が行われる場合に給水活動の作業性を向上させることができる。
【００３２】
また、蓋部材１は、板状にそれぞれ形成された第一部材１０および第二部材２０と、第一部材１０と第二部材２０とを折りたたみ可能に接続する接続部材３０と、を備えている。
これによれば、蓋部材１を折りたためることができるため、蓋部材１の収納性を向上させることができる。
【００３３】
また、蓋部材１は、棒状に形成された棒部材５０が周縁に配置されている。
これによれば、棒部材５０が無い場合に比べて、蓋部材１の剛性を高くすることができる。
【００３４】
また、蓋部材１は、アルミニウムを用いて設けられている。具体的には、第一部材１０、第二部材２０および棒部材５０がアルミニウムを用いて設けられている。
これによれば、蓋部材１の高剛性化および軽量化を図ることができる。
【００３５】
なお、上述した実施形態において、蓋部材の一例を示したが、本考案はこれに限定されず、他の構成を採用することもできる。例えば、第一部材１０、第二部材２０および棒部材５０は、アルミニウムを用いて設けられているが、これに代えて、ステンレス鋼材や樹脂材料を用いて設けるようにしても良い。
【００３６】
また、上述した実施形態において、接続部材３０は、ステンレス鋼材を用いて設けられているが、これに代えて、アルミニウムや樹脂材料を用いて設けるようにしても良い。
【００３７】
また、上述した実施形態において、蓋部材１は、第一部材１０および第二部材２０の二つの板状の部材を備えているが、これに代えて、図７に示すように、蓋部材１を板状の一つの部材によって設けるようにしてもよい。この場合、蓋部材１は、第二部材２０を備えずに、第一部材１１０のみを備える。また、蓋部材１には、第一部材１１０の中央部に開口する蓋開口部１４０が設けられる。さらに、この場合、蓋部材１は、接続部材３０を備えない。
【００３８】
また、上述した実施形態において、棒部材５０は、蓋部材１の周縁に配置されているが、これに代えて、棒部材５０を蓋部材１の周縁以外にも配置するようにしても良い。また、蓋部材１が棒部材５０を備えないようにしても良い。
【００３９】
また、本考案の要旨を逸脱しない範囲において、第一部材１０、第二部材２０、接続部材３０の形状、接続部材３０の個数および位置、棒部材５０の形状および位置、並びに、蓋開口部４０の形状、位置、大きさおよび蓋部材１の全体に占める範囲を変更するようにしても良い。
【符号の説明】
【００４０】
１…蓋部材、２…給水栓ボックス、３…手動式ポンプ、４…地下式給水栓、１０…第一部材、３０…接続部材、４０…蓋開口部（開口部）、５０…棒部材、Ｓ…地盤面。
【図１】
0003220004.tif 000003
【図２】
0003220004.tif 000004
【図３】
0003220004.tif 000005
【図４】
0003220004.tif 000006
【図５】
0003220004.tif 000007
【図６】
0003220004.tif 000008
【図７】
0003220004.tif 000009
【図８】
0003220004.tif 000010